(57)【要約】      （修正有）【課題】従来の密閉袋用空気抜き弁は、布団などの寝具類を掃除機の吸引力を利用して圧縮収納するためのもので、食品類を密閉し使用者の口を利用して吸引する思考は無かったので、吸引口は、口（唇）で咥えて吸い込むような構成では無かった。また、二体成型や三体成型の構成でフイルムに取付けていたので、手間と製作費用が嵩むのである。【解決手段】本発明は、中空筒の底板の筒３の天板と外周壁の付け根に切込を入れ、弁６を持つ栓５を形成する。そして、中空筒の外周壁の上端に周り縁を形成し、その一端に吸引口を開閉する蓋栓を取り付け、更に、中空筒の外周壁下部に、密閉袋の取付穴に取り付ける糊代１２の構成で一体成型したものである。【選択図】図８
2009143622.tif 000002
【特許請求の範囲】
【請求項１】
１．ドーナツ状の底板２を持った瓢箪型の外周壁の中空筒１を設け、その底板
2009143622.tif 000004
３の外周壁の上端に周り縁７を形成し、その一端に、吸引口８を開閉する帯状の蝶番９と爪１０を持った蓋栓１１を取り付け、更に、中空筒３の外周壁下部に鍔状の糊代１２を形成する。
２．ファスナーを持つた合成樹脂製の密閉袋１３を用意して、そのフイルムの適宜箇所に、前記中空筒１の糊代１２を取り付ける取付穴１４を形成する。
３．密閉袋１３の取付穴１４に、中空筒１の外周壁下部を通して糊代１２を取付ける。
４．中空筒１は、弾力性と耐熱性のある合成樹脂製の一体成型で設ける。
上記の如く構成したことを特長とする密閉袋用空気抜き弁。
【発明の詳細な説明】
【技術の分野】
【０００１】  本発明は、食品類を密閉した密閉袋内の空気を使用者の口を利用して、真空状態に吸引する空気抜き弁を一体成型にして、密閉袋のフイルムに取り付けたことに関する。
【背景技術】
【０００２】  従来の密閉袋用空気抜き弁は、布団などの寝具類を掃除機の吸引力を利用して圧縮収納するためのもので、食品類を密閉して使用者の口を利用してで吸引する思考は無かったのである。
また、バブル装置を形成する上部と空気の通路孔を形成する下部の二体成型の構成でフイルムに取付けたもの（例えば、特開２００７−２８４１４）や弁開口を形成する上部と戻しバネ付きロックボタンを別口に取付け形成する下部の三体成型の構成でフイルムに取付けたもの（特開２００６−２７３４１０）がある。
【発明の開示】
【発明が解決しようとする課題】
【０００３】  以上述べた特開２００７−２８４１４や特開２００６−２７３４１は、使用者の口を利用して密閉袋内の空気を吸引する吸引口の構成では無く、且つ、二体成型や三体成型の構成であるため手間と製作費用が嵩むのである。【０００４】  本発明は、このような従来の構成が有していた問題を解決しようとするものであり、密閉袋内の空気の吸引を使用者の口を利用するのである。
また、一体成型にすることで手間と製作費を軽減しようとするのである。
【課題を解決するための手段】
【０００５】  そして、本発明は、上記目的を達成するために、中空筒１の底板２の筒３の天板と外周壁の付け根に切込４を入れ、弁６を持つ栓５を形成するのである。
そして、中空筒１の外周壁の上端に周り縁７を形成し、その一端に吸引口８を開閉する爪１０を持った蓋栓１１を取り付け、更に、中空筒１の外周壁下部に、密閉袋１３の取付穴１４に取り付ける糊代１２を形成するのである。
上記課題解決手段による作用は次の通りである。即ち、保存する食品の入っ【０００６】た器に蓋をしたまま密閉袋の中に入れてファスナ−を確り閉じる。そして、爪を引き上げて蓋栓を開け、一方の手の親指と人差し指で蓋栓を挟み込みながら中空筒の外周壁の中程を掴み、他方の手で密閉袋ごと器を押えてから、吸引口の周り縁を唇で咥え、密閉袋内の空気を吸い込み始めると弁は開き（図８の６の点線図を参照。）、空気は吸い出され、吸い込みを止めると弁は閉じる（図８の６の実線図を参照。）のである。この動作を何度か繰り返すことで、密閉袋内は真空状態になるのである。そして、吸引口に蓋栓をするのである。
【発明の効果】
【０００７】  上述したように本発明の密閉用空気抜き弁は、形が不揃の食品やいろんな形の器の中の食品でも簡単に真空状態（９８％前後）を作り出すことが出来るので、空気中に浮遊していた雑菌は殆ど取り除かれるので、冷凍できない食品類（野菜、菓子、飲料やいったん解凍した魚貝類の保存等々を含む。）を常温でも保存期間を数日間延長出来るのである。また、蓋栓をすることで密閉袋の内圧の抑えが確保出来るので、食品の水分の蒸発を抑えられ、乾燥を防ぐ効果が得られるのである。
【発明を実施するための最良の形態】
【０００８】  以下、本発明の実施の形態を図１〜図１０に基ずいて説明する。
【実施例】
【０００９】１．ド−ナツ状の底板２を持った瓢箪型の外周壁の中空筒１を設け、その底板
2009143622.tif 000003
外周壁の上端に周り縁７を形成し、その一端に、逆円錐台形を持つ吸引口８を開閉する帯状の蝶番９と爪１０を持った蓋栓１１を蝶番９の一端を通して取り付け、更に、中空筒１の外周壁下部に鍔状の糊代１２を形成する。
２．ファスナ−を持つた合成樹脂製の密閉袋１３を用意して、そのフイルムの適宜箇所に、前記中空筒１の糊代１２を取り付ける取付穴１４を形成する。
３．密閉袋１３の取付穴１４に、中空筒１の外周壁下部を通して糊代１２の表面を取付ける。
４．中空筒１は、弾力性と耐熱性のある合成樹脂製の一体成型で設ける。
上記の如く構成したことを特長とする密閉袋用空気抜き弁。【００１０】  以下、上記構成の動作を説明する。先ず、閉じている密閉袋の開閉口のファスナ−を開き、保存する食品の入った器の蓋をしたまま密閉袋の中に入れてファスナ−を確り閉じる。
そして、密閉用空気抜き弁の爪を引き上げて蓋栓を開け、一方の手の親指と人差し指で蓋栓を下に押え込みながら外周壁中程を掴み、他方の手で密閉袋ごと器を押えてから、吸引口の周り縁を唇で咥え、空気を深く吸い込み始めると栓の弁は開き、密閉袋内の空気は吸い出され始め、そして、吸い込みを止めると弁は閉じて、密閉袋内は外気と遮断される。再び、空気を吸い込み始めると弁は開き、吸い出され始め、吸い込みを止めると弁は閉じて外気を遮断する。
この動作を何回か繰り返すことで、密閉袋内は真空状態になるのである。
そして、吸引口に蓋栓をするのである。
なを、食品を密閉袋のままレンジで加熱する時は、蓋栓を外すのである。
また、使用者の口の利用に替えて、吸引口の内径に整合する筒先を持った周り縁付吸込管を使用しても効果は変わらない。
そして又、空気抜きポンプを利用しても効果は変わらない。実施態様として、１．蝶番と爪付きの蓋栓を取り除く方法もある。
【図面の簡単な説明】
【００１１】
【図１】  図２の左側面図
【図２】  本発明の正面図
【図３】  図２の右側面図
【図４】  図２の平面図
【図５】  図２の下面図
【図６】  図２におけるａ−ａ線断面図
【図７】  図２におけるｂ−ｂ線断面図
【図８】  図６におけるｃ−ｃ線断面図（点線図は一部品の作用を示す。）
【図９】  本発明の一部を欠いた取付図
【図１０】  本発明の一動作を示す図
【符号の説明】
【００１２】１：中空筒  ２：底板  ３：筒  ４：切込  ５：栓  ６：弁  ７：周り縁  ８：吸引口  ９：蝶番  １０：爪  １１：蓋栓  １２：糊代  １３：密閉袋  １４：取付穴
【図１】
2009143622.tif 000005
【図２】
2009143622.tif 000006
【図３】
2009143622.tif 000007
【図４】
2009143622.tif 000008
【図５】
2009143622.tif 000009
【図６】
2009143622.tif 000010
【図７】
2009143622.tif 000011
【図８】
2009143622.tif 000012
【図９】
2009143622.tif 000013
【図１０】
2009143622.tif 000014
【手続補正書】
【提出日】平成19年12月20日(2007.12.20)
【手続補正１】
【補正対象書類名】特許請求の範囲
【補正対象項目名】全文
【補正方法】変更
【補正の内容】
【特許請求の範囲】
【請求項１】
１．ド−ナツ状の底板２を持った凸型の外周壁の中空筒１を設け、その底板２
2009143622.tif 000015
の外周壁の上端に周り縁７を形成し、その一端に、吸引口８を開閉する帯状の蝶番９と爪１０を持った蓋栓１１を取り付け、更に、中空筒１の外周壁下部に鍔状の糊代１２を形成する。
２．ファスナ−を持った合成樹脂製の密閉袋１３を用意して、そのフイルムの適宜箇所に、前記中空筒１の糊代１２を取り付ける取付穴１４を形成する。
３．密閉袋１３の取付穴１４に、中空筒１の外周壁下部を通して糊代１２を取付ける。
４．中空筒１は、弾力性と耐熱性のある合成樹脂製の一体成型で設ける。
上記の如く構成したことを特長とする密閉袋用空気抜き弁。
【請求項２】
蝶番と爪を持った蓋栓を取り除いて構成した〔請求項１〕記載の密閉袋用空気抜き弁。
【請求項３】
凸型の中空筒を筒型の中空筒に構成した〔請求項１〕〔請求項２〕記載の密閉袋用空気抜き弁。
【請求項４】
ド−ナツ状の底板に形成した筒の天板を除いて、その外周壁の一端に、Γ型のフック二個を形成して、そのフックに、別口に設けたΩ型の弁を取り付けて、栓を形成して構成した〔請求項１〕、〔請求項２〕、〔請求項３〕記載の密閉袋用空気抜き弁。
【手続補正２】
【補正対象書類名】明細書
【補正対象項目名】０００２
【補正方法】変更
【補正の内容】
【０００２】  従来の密閉袋用空気抜き弁は、布団などの寝具類を掃除機の吸引力を利用して圧縮収納するためのもので、食品類を密閉して使用者の口を利用して吸引する思考は無かったのである。
また、バブル装置を形成する上部と空気の通路孔を形成する下部の二体成型の構成でフイルムに取付けたもの（例えば、特開２００７−２８４１４）や弁開口を形成する上部と戻しバネ付きロックボタンを別口に取付け形成する下部の三体成型の構成でフイルムに取付けたもの（特開２００６−２７３４１０）がある。
【手続補正３】
【補正対象書類名】明細書
【補正対象項目名】０００７
【補正方法】変更
【補正の内容】
【０００７】  上述したように本発明の密閉袋用空気抜き弁は、形が不揃の食品やいろんな形の器の中の食品でも簡単に真空状態（９８％前後）を作り出すことが出来るので、空気中に浮遊していた雑菌は殆ど取り除かれ冷凍できない食品類（野菜、菓子、飲料や一旦解凍した魚貝類の保存等々を含む。）を常温でも保存期間を数日間延長出来るのである。また、蓋栓をすることで密閉袋内の内圧の抑えが確保出来るので、食品の水分の蒸発を抑えられ、乾燥を防ぐ効果が得られるのである。
【手続補正４】
【補正対象書類名】図面
【補正対象項目名】図８
【補正方法】変更
【補正の内容】
【図８】
2009143622.tif 000016
【手続補正書】
【提出日】平成19年12月26日(2007.12.26)
【手続補正１】
【補正対象書類名】特許請求の範囲
【補正対象項目名】全文
【補正方法】変更
【補正の内容】
【特許請求の範囲】
【請求項１】
１．ドーナツ状の底板２を持った凸型の外周壁の中空筒１を設け、その底板２
2009143622.tif 000017
の外周壁の上端に周り縁７を形成し、その一端に、吸引口８を開閉する帯状の蝶番９と爪１０を持った蓋栓１１を取り付け、更に、中空筒１の外周壁下部に鍔状の糊代１２を形成する。
２．ファスナーを持った合成樹脂製の密閉袋１３を用意して、そのフイルムの適宜箇所に、前記中空筒１の糊代１２を取り付ける取付穴１４を形成する。
３．密閉袋１３の取付穴１４に、中空筒１の外周壁下部を通して糊代１２を取付ける。
４．中空筒１は、弾力性と耐熱性のある合成樹脂製の一体成型で設ける。
上記の如く構成したことを特長とする密閉袋用空気抜き弁。
【請求項２】
蝶番９と爪１０を持った蓋栓１１を取り除いて構成した〔請求項１〕記載の密閉袋用空気抜き弁。
【請求項３】
凸型の中空筒１を筒型の中空筒１５に構成した〔請求項１〕、〔請求項２〕記載の密閉袋用空気抜き弁。
【請求項４】
ド−ナツ状の底板２に形成した筒３を除いて筒１６を形成して、その外周壁の出っ張り部の一端に、Γ型のフック１７を二個を形成し、そのフック１７に、別口に設けたΩ型の弁１８を取り付けて、栓１７を形成して構成した〔請求項１〕、〔請求項２〕、〔請求項３〕記載の密閉袋用空気抜き弁。
【請求項５】
耐熱性の合成樹脂製の蓋付密閉容器１８を用意して、その蓋の適宜箇所に取付穴１９を形成して、その取付穴１９に中空筒１を通して糊代１２を取付け構成した〔請求項１〕、〔請求項２〕、〔請求項３〕、〔請求項４〕記載の密閉袋用空気抜き弁。
【手続補正２】
【補正対象書類名】明細書
【補正対象項目名】００１１
【補正方法】変更
【補正の内容】
【００１１】
【図１】図２の左側面図
【図２】本発明の正面図
【図３】図２の右側面図
【図４】図２の平面図
【図５】図２の下面図
【図６】図１におけるａ−ａ線断面図
【図７】図１におけるｂ−ｂ線断面図
【図８】図６におけるｃ−ｃ線断面図（点線図は、一部品の作用を示す。）
【図９】本発明の取付図
【図１０】本発明の一動作を示す図
【図１１】本発明の変形の取付図
【図１２】本発明の変形の一部を切り欠いた取付図
【手続補正３】
【補正対象書類名】明細書
【補正対象項目名】００１２
【補正方法】変更
【補正の内容】
【００１２】１：中空筒  ２：底板  ３：筒  ４：切込  ５：栓  ６：弁  ７：周り縁  ８：吸引口  ９：蝶番  １０：爪  １１：蓋栓  １２：糊代  １３：密閉袋  １４：取付穴１５：中空筒  １６：筒  １７：フック  １８：弁  １９：栓  ２０：蓋付密閉容器  ２１：取付穴
【手続補正４】
【補正対象書類名】図面
【補正対象項目名】図１１
【補正方法】追加
【補正の内容】
【図１１】
2009143622.tif 000018
【手続補正５】
【補正対象書類名】図面
【補正対象項目名】図１２
【補正方法】追加
【補正の内容】
【図１２】
2009143622.tif 000019
【手続補正書】
【提出日】平成20年1月4日(2008.1.4)
【手続補正１】
【補正対象書類名】特許請求の範囲
【補正対象項目名】全文
【補正方法】変更
【補正の内容】
【特許請求の範囲】
【請求項１】
１．ド−ナツ状の底板２を持った凸型の外周壁の中空筒１を設け、その底板２
2009143622.tif 000020
っ張り部分を取り付け、弁６と栓５を形成する。そして、中空筒１の外周壁の上端に周り縁７を形成し、その一端に、吸引口８を開閉する帯状の蝶番９と爪１０を持った蓋栓１１を取り付け、更に、中空筒１の外周壁下部に鍔状の糊代１２を形成する。
２．ファスナ−を持った合成樹脂製の密閉袋１３を用意して、そのフイルムの適宜箇所に、前記中空筒１の糊代１２を取り付ける取付穴１４を形成する。
３．密閉袋１３の取付穴１４に、中空筒１の外周壁下部を通して糊代１２を取付ける。
４．中空筒１は、弾力性と耐熱性のある合成樹脂製の一体成型で設ける。
上記の如く構成したことを特長とする密閉袋用空気抜き弁。
【請求項２】
蝶番９と爪１０を持った蓋栓１１を取り除いて構成した〔請求項１〕記載の密閉袋用空気抜き弁。
【請求項３】
凸型の中空筒１を筒型の中空筒１５に構成した〔請求項１〕、〔請求項２〕記載の密閉袋用空気抜き弁。
【請求項４】
ド−ナツ状の底板２に形成した筒３を除いて筒１６を形成して、、その外周壁の出っ張りの一端に、Γ型のフック１７を二個を形成して、そのフック１７に、別口に設けたΩ型の弁１８を取り付けて、栓１９を形成して構成した〔請求項１〕、〔請求項２〕、〔請求項３〕記載の密閉袋用空気抜き弁。
【請求項５】
耐熱性の合成樹脂製の蓋付密閉容器２０を用意して、その蓋の適宜箇所に取付穴２１を形成して、その取付穴２１に中空筒１を通して糊代１２を取付け構成した〔請求項１〕、〔請求項２〕、〔請求項３〕、〔請求項４〕記載の密閉袋用空気抜き弁。
【手続補正２】
【補正対象書類名】明細書
【補正対象項目名】００１０
【補正方法】変更
【補正の内容】
【００１０】  以下、上記構成の動作を説明する。先ず、閉じている密閉袋の開閉口のファスナ−を開き、保存する食品の入った器の蓋をしたまま密閉袋の中に入れてファスナ−を確り閉じる。そして、中空筒の爪を引き上げて蓋栓を開け、一方の手の親指と人差し指で蓋栓を下に押さえ込みながら外周壁中程を掴み、他方の手で密閉袋ごと器を押さえてから、吸引口の周り縁を唇で咥え、空気を深く吸い込み始めると栓の弁は開き、密閉袋内の空気は吸い出され始め、そして、吸い出しを止めると弁は閉じて、密閉袋内は外気と遮断される。再び、空気を吸い込始めると弁は開き、吸い出されめ始め、吸い込みを止めると弁は閉じて外気を遮断する。この動作を何回か繰り返すことで、密閉袋内は真空状態になるのである。そして、吸引口に蓋栓をする。なを、食品を密閉袋のままレンジで加熱する時は、蓋栓を外す。
また、使用者の口の利用に替えて、吸引口の内径に整合する筒先を持った周り縁付吸引管を使用しても効果は変わらない。そして又、吸引口の内径に整合する筒先を持つ手動式空気抜きポンプを使用しても効果は変わらない。
実施態様として、１．外周壁１、外周壁１５の中部から下部に伸縮自在する蛇腹の外周壁を形成する方法。